(57)【要約】  ワイヤレス媒体を管理するための方法および装置は、一態様では、フレームを生成することと、フレームが複数の連続スケジュールブロックを含み、スケジュールブロックの各々が、送信機会中の重複しない時間間隔を識別する第１のインジケータ、および識別された時間間隔内に通信すべき１つまたは複数のデバイスの１つまたは複数の第２のインジケータを含み、ここにおいて、対応する識別された時間間隔中に媒体上で通信すべき複数のデバイスを識別することに、スケジュールブロックのうちの少なくとも１つが生成される、デバイスからフレームを送信することとを含む方法を含む。
2017533657.tif 000002
【特許請求の範囲】
【請求項１】
送信デバイスと複数の受信デバイスとを含む、通信ネットワークにおけるワイヤレス通信媒体の使用を管理する方法であって、
複数のスケジュールブロック
を備えるフレームを送信デバイスによって生成することと、前記スケジュールブロックの各々は、
送信機会中の重複しない時間間隔を識別する第１のインジケータ、および
前記重複しない時間間隔内に通信すべき１つまたは複数の受信デバイスの１つまたは複数の第２のインジケータ、ここにおいて、前記複数のスケジュールブロックのうちの少なくとも１つが、前記重複しない時間間隔内に通信すべき複数の受信デバイスを識別する、
を備える、
前記送信デバイスから前記フレームを送信することと
を備える、方法。
【請求項２】
前記複数の受信デバイスのうちの特定のデバイスに前記重複しない時間間隔中に送信される最後のパケットを決定することと、
前記決定することに応答して、前記最後のパケット中の指示を特定の値に設定することと、
前記特定のデバイスに前記最後のパケットを送信することと
をさらに備える、請求項１に記載の方法。
【請求項３】
前記複数の受信デバイスのうちの特定のデバイスに前記送信機会中に送信される最後のパケットを決定することと、
前記決定することに応答して、前記最後のパケット中の指示を特定の値に設定することと、
前記特定のデバイスに前記最後のパケットを送信することと
をさらに備える、請求項１に記載の方法。
【請求項４】
前記複数の受信デバイスのうちの特定のデバイスに複数の送信機会中に送信される最後のパケットを決定することと、
前記決定することに応答して、前記最後のパケット中の指示を特定の値に設定することと、
前記特定のデバイスに前記最後のパケットを送信することと
をさらに備える、請求項１に記載の方法。
【請求項５】
示される前記複数の受信デバイスのうちの１つまたは複数が、いつスリープ状態に入り得るかをさらに示すように前記フレームを生成することをさらに備える、請求項１に記載の方法。
【請求項６】
前記重複しない時間間隔のための時間基準を含むように前記フレームを生成することをさらに備える、請求項１に記載の方法。
【請求項７】
前記複数の受信デバイスの各々のための電力制御情報を備えるように前記フレームを生成することをさらに備える、請求項１に記載の方法。
【請求項８】
送信デバイスと複数の受信デバイスとを含む、通信ネットワークにおけるワイヤレス媒体の使用を管理するための装置であって、
複数のスケジュールブロック
を備えるフレームを生成するように構成されたプロセッサと、前記スケジュールブロックが前記フレームの連続部分を備え、前記スケジュールブロックは、
送信機会中の重複しない時間間隔を識別する第１のインジケータ、および
前記重複しない時間間隔内に通信すべき１つまたは複数の受信デバイスの１つまたは複数の第２のインジケータ、ここにおいて、前記複数のスケジュールブロックのうちの少なくとも１つが、前記重複しない時間間隔中に通信すべき複数の受信デバイスを識別するように生成される、
をさらに備える、
前記装置から前記フレームを送信するように構成された送信機と
を備える、装置。
【請求項９】
前記プロセッサが、
前記複数の受信デバイスのうちの特定のデバイスに前記送信機会中に送信される最後のパケットを決定することと、
前記決定に応答して、前記最後のパケット中の指示を特定の値に設定することと
を行うようにさらに構成され、
ここにおいて、前記送信機が、前記特定のデバイスに前記最後のパケットを送信するようにさらに構成された、
請求項８に記載の装置。
【請求項１０】
前記プロセッサが、
前記複数の受信デバイスのうちの特定のデバイスに前記送信機会中に送信される最後のパケットを決定することと、
前記決定に応答して、前記最後のパケット中の指示を特定の値に設定することと
を行うようにさらに構成され、
ここにおいて、前記送信機が、前記特定のデバイスに前記最後のパケットを送信するようにさらに構成された、
請求項８に記載の装置。
【請求項１１】
前記プロセッサが、
前記複数の受信デバイスのうちの特定のデバイスに複数の送信機会中に送信される最後のパケットを決定することと、
前記決定に応答して、前記最後のパケット中の指示を特定の値に設定することと、
前記特定のデバイスに前記最後のパケットを送信することと
を行うようにさらに構成された、請求項８に記載の装置。
【請求項１２】
前記プロセッサは、前記複数の受信デバイスのうちの１つまたは複数が、いつスリープ状態に入り得るかを示すように前記フレームを生成するようにさらに構成された、請求項８に記載の装置。
【請求項１３】
前記プロセッサが、前記重複しない時間間隔のための時間基準を含むように前記フレームを生成するようにさらに構成された、請求項８に記載の装置。
【請求項１４】
前記プロセッサが、各受信デバイスのための電力制御情報を含むように前記フレームを生成するようにさらに構成された、請求項８に記載の装置。
【請求項１５】
ワイヤレスネットワーク上で送信デバイスと受信デバイスとの間で通信する方法であって、
前記受信デバイスによって、前記ワイヤレスネットワーク上で前記送信デバイスからフレームを受信することと、
前記受信デバイスによって、複数の連続スケジュールブロックを識別するために前記フレームを復号することと、
前記受信デバイスによって、送信機会（ＴＸＯＰ）中の対応する複数の重複しない時間間隔を決定するために前記複数のスケジュールブロックの各々を復号することと、
前記受信デバイスによって、前記受信デバイスが前記送信デバイスとのマルチユーザ通信を実行することになる重複しない時間間隔を識別するために、前記複数のスケジュールブロックの各々を復号することと、
前記受信デバイスによって、前記識別された少なくとも１つの重複しない時間間隔中に前記送信デバイスと通信することと
を備える、方法。
【請求項１６】
スリープ時間情報を決定するために前記フレームを復号することと、
前記スリープ時間情報に基づいてスリープ状態に入ることと
をさらに備える、請求項１５に記載の方法。
【請求項１７】
前記重複しない時間間隔のうちの１つ中に前記送信デバイスからマルチユーザデータメッセージを受信することと、
前記マルチユーザデータメッセージが前記１つの重複しない時間間隔中の前記受信デバイスのための最後のデータメッセージであるかどうかを決定するために前記マルチユーザデータメッセージを復号することと、
前記マルチユーザデータメッセージが前記受信デバイスのための前記最後のデータメッセージであると決定したことに応答して、スリープ状態に入ることと
をさらに備える、請求項１６に記載の方法。
【請求項１８】
前記マルチユーザデータメッセージが前記受信デバイスのための前記最後のマルチユーザデータメッセージであるかどうかを決定するために前記マルチユーザデータメッセージのモアデータビットを復号することをさらに備える、請求項１７に記載の方法。
【請求項１９】
前記複数の重複しない時間間隔のうちの１つ中の前記送信デバイスへの送信の最大持続時間を決定するために前記フレームを復号することと、
前記復号することに基づいて、前記１つの重複しない時間間隔中に前記最大送信持続時間よりも小さいかまたはそれに等しいデータを前記送信デバイスに送信することと
をさらに備える、請求項１５に記載の方法。
【請求項２０】
第２のフレームを受信することと、
前記送信デバイスへのデータ送信のための前記複数の重複しない時間間隔のうちの１つ内の開始時間を決定するために前記第２のフレームを復号することと、
前記決定された開始時間において前記送信デバイスにデータを送信することと
をさらに備える、請求項１５に記載の方法。
【請求項２１】
前記送信デバイスへのマルチユーザ通信中でのデータの送信のための重複しない時間間隔の１つ内の開始時間を決定するために前記フレームを復号することをさらに備える、請求項１５に記載の方法。
【請求項２２】
第２のフレームを受信することと、
前記送信デバイスへのデータ送信のための前記複数の重複しない時間間隔のうちの１つ内の開始時間を決定するために前記第２のフレームを復号することと、
前記決定された開始時間において前記送信デバイスにデータを送信することと
をさらに備える、請求項１５に記載の方法。
【請求項２３】
ワイヤレスネットワーク上で送信デバイスと通信するための装置であって、
前記送信デバイスから、前記ワイヤレスネットワークからのフレームを受信するように構成された受信機と、
プロセッサと
を備え、前記プロセッサは、
複数の連続スケジュールブロックを識別するために前記フレームを復号することと、
送信機会（ＴＸＯＰ）中の対応する複数の重複しない時間間隔を決定するために前記複数のスケジュールブロックの各々を復号することと、
前記装置が前記送信デバイスとのマルチユーザ通信を実行することになる前記重複しない時間間隔のうちの少なくとも１つを識別するために、前記複数のスケジュールブロックの各々を復号することと、
前記識別された少なくとも１つの重複しない時間間隔中に前記送信デバイスと通信することと
を行うように構成された、装置。
【請求項２４】
前記プロセッサが、
スリープ時間情報を決定するために前記フレームを復号することと、
前記スリープ時間情報に基づいてスリープ状態に入ることと
を行うようにさらに構成された、請求項２３に記載の装置。
【請求項２５】
前記プロセッサは、
前記重複しない時間間隔のうちの１つ中に前記送信デバイスからマルチユーザデータメッセージを受信することと、
前記マルチユーザデータメッセージが前記時間間隔中の前記装置のための最後のデータメッセージであるかどうかを決定するために前記マルチユーザデータメッセージ中のインジケータを復号することと、
前記マルチユーザデータメッセージが前記最後のデータメッセージであると決定したことに応答して、スリープ状態に入ることと
を行うようにさらに構成された、請求項２４に記載の装置。
【請求項２６】
前記プロセッサは、前記マルチユーザデータメッセージが前記最後のデータメッセージであるかどうかを決定するために前記マルチユーザデータメッセージのモアデータビットを復号するようにさらに構成された、請求項２５に記載の装置。
【請求項２７】
前記プロセッサが、重複しない時間間隔中の前記送信デバイスへの送信の最大持続時間を決定するために前記フレームを復号するようにさらに構成され、
ここにおいて、前記送信機は、前記復号することに基づいて、前記時間期間中に前記最大送信持続時間よりも小さいかまたはそれに等しいデータを前記送信デバイスに送信するようにさらに構成された、
請求項２３に記載の装置。
【請求項２８】
前記プロセッサが、前記送信デバイスへのマルチユーザ通信中でのデータの送信のための前記重複しない時間間隔内の開始時間を決定するために前記フレームを復号するようにさらに構成された、請求項２３に記載の装置。
【請求項２９】
前記受信機が、第２のフレームを受信するようにさらに構成され、
ここにおいて、前記プロセッサが、前記送信デバイスへのデータ送信のための前記重複しない時間間隔内の開始時間を決定するために前記第２のフレームを復号することと、前記決定された開始時間において前記送信デバイスにデータを送信することとを行うようにさらに構成された、
請求項２３に記載の装置。
【請求項３０】
前記プロセッサが、前記送信デバイスへのマルチユーザ通信中でのデータの送信のための前記重複しない時間間隔内の開始時間を決定するために前記フレームを復号するようにさらに構成された、請求項２３に記載の装置。
【発明の詳細な説明】
【技術分野】
【０００１】
[0001]本開示のいくつかの態様は、一般にワイヤレス通信に関し、より詳細には、ワイヤレスネットワークにおける複数のユーザ通信のための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【０００４】
[0004]ワイヤレス通信システムのために要求される増加する帯域幅要件という問題に対処するために、複数のユーザ端末が、高いデータスループットを達成しながら、チャネルリソースを共有することによって単一のアクセスポイントと通信することを可能にするために、異なる方式が開発されている。したがって、様々なワイヤレスデバイス間でワイヤレス媒体を共有する改善された方法が必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]本明細書で説明する主題の１つまたは複数の実装形態の詳細は、添付の図面および以下の説明に示されている。他の特徴、態様、および利点は、説明、図面、および特許請求の範囲から明らかになるであろう。以下の図の相対寸法は一定の縮尺で描かれていないことがあることに留意されたい。
【０００７】
[0007]上記で説明したように、ワイヤレスネットワークのための帯域幅要件は増加している。帯域幅についての要求のこの増加は、ネットワークの容量の大部分を消費し得るビデオ、音楽、および他のタイプのコンテンツのストリーミングを含む、ワイヤードネットワークソリューションのために旧来予約された領域へのモバイルデバイスの浸透によって少なくとも部分的に推進される。
【０００８】
[0008]既存のワイヤレスプロトコルは、デバイスがワイヤレスネットワーク上で送信し得るとき、競合期間と無競合期間の両方を与え得る。競合期間中に、送信は旧来の衝突検知機構を採用し得る。無競合期間中に、ワイヤレス媒体は、特定のデバイスによる使用のために予約されるが、他のワイヤレスデバイスは、その期間中に送信を控える。特定のワイヤレスデバイスが、送信の準備ができている複数の異種データセットを有するか、または複数の異なるデバイスから複数の異種データセットを受信し得るとき、デバイスが、デバイスのために予約された送信機会中のこのデータの送信および受信を管理することは望ましいことがある。たとえば、デバイスは、送信機会を、データを送信するための時間期間および／またはデータを受信するための追加の時間期間に区分し得る。さらに、データは、マルチユーザ多入力多出力（ＭＵ−ＭＩＭＯ：multi-user multiple input, multiple output）または直交周波数分割多重（ＯＦＤＭ）などの旧来のマルチユーザ送信方法を使用して、これらの時間期間中に複数のデバイスから送信およびまたは受信され得る。
【０００９】
[0009]この区分を達成するために、デバイスは、送信機会の前または送信機会中にスケジューリングフレームを送信し得る。スケジューリングフレームは、どのデバイスがデバイスにデータを送信することになるか、およびどのデバイスが送信機会内の複数の時間期間中にデバイスからデータを受信することになるかを通信し得る。また、本明細書でトリガフレームと呼ばれる追加のフレームは、特定のデバイスに、トリガフレームの受信の後にデバイスへのそれらの送信が開始され得ることを示すために、送信機会中に送信され得る。いくつかの態様では、スケジューリングフレームは、デバイスのセットに、送信がすぐに、たとえば、スケジューリングフレームの直後またはそれと同時の時間期間中に開始されるべきであることを示すトリガリングフレームとして働き得る。
【００１０】
[0010]開示される一態様は、送信デバイスと複数の受信デバイスとを含む、通信ネットワークにおけるワイヤレス通信媒体の使用を管理する方法である。本方法は、複数のスケジュールブロックを備えるフレームを送信デバイスによって生成することと、スケジュールブロックの各々は、送信機会中の重複しない時間間隔を識別する第１のインジケータ、および識別される重複しない時間間隔内に通信すべき１つまたは複数の受信デバイスの１つまたは複数の第２のインジケータ、ここにおいて、複数のスケジュールブロックのうちの少なくとも１つが、対応するスケジュールブロックによって識別される重複しない時間間隔内に通信すべき複数の受信デバイスを識別する、を備える、送信デバイスからフレームを送信することとを含む。
【００１１】
[0011]いくつかの態様では、本方法はまた、複数の受信デバイスのうちの特定のデバイスに重複しない時間間隔のうちの時間間隔中に送信される最後のパケットを決定することと、決定に応答して、最後のパケット中の指示を特定の値に設定することと、特定のデバイスに最後のパケットを送信することとを含む。いくつかの態様では、本方法は、複数の受信デバイスのうちの特定のデバイスに送信機会中に送信される最後のパケットを決定することと、決定に応答して、最後のパケット中の指示を特定の値に設定することと、特定のデバイスに最後のパケットを送信することとを含む。いくつかの態様では、本方法は、複数の受信デバイスのうちの特定のデバイスに複数の送信機会中に送信される最後のパケットを決定することと、決定に応答して、最後のパケット中の指示を特定の値に設定することと、第１のデバイスに最後のパケットを送信することとを含む。
【００１２】
[0012]いくつかの態様では、本方法はまた、示される複数の受信デバイスのうちの１つまたは複数が、いつスリープ状態に入り得るかをさらに示すようにフレームを生成することを含む。いくつかの態様では、本方法はまた、複数の示された時間間隔の各々のための時間基準インジケータを備えるようにフレームを生成することを含む。いくつかの態様では、本方法はまた、複数の受信デバイスの各々のための電力制御情報を備えるようにフレームを生成することを含む。
【００１３】
[0013]開示される別の態様は、送信デバイスと複数の受信デバイスとを含む、通信ネットワークにおけるワイヤレス媒体の使用を管理するための装置である。本装置は、複数のスケジュールブロックを備えるフレームを生成するように構成されたプロセッサと、スケジュールブロックの各々が、フレームの連続部分を備え、送信機会中の重複しない時間間隔を識別する第１のインジケータ、および識別される重複しない時間間隔内に通信すべき１つまたは複数の受信デバイスの１つまたは複数の第２のインジケータ、ここにおいて、複数のスケジュールブロックのうちの少なくとも１つが、対応するスケジュールブロックによって識別される時間間隔中に通信すべき複数の受信デバイスを識別するように生成される、をさらに備える、本装置からフレームを送信するように構成された送信機とを含む。
【００１４】
[0014]いくつかの態様では、プロセッサは、複数の受信デバイスのうちの特定のデバイスに送信機会中に送信される最後のパケットを決定することと、決定に応答して、最後のパケット中の指示を特定の値に設定することとを行うようにさらに構成される。これらの態様では、送信機は、特定のデバイスに最後のパケットを送信するようにさらに構成される。いくつかの態様では、プロセッサは、複数の受信デバイスのうちの特定のデバイスに送信機会中に送信される最後のパケットを決定することと、決定に応答して、最後のパケット中の指示を特定の値に設定することとを行うようにさらに構成される。これらの態様では、送信機は、特定のデバイスに最後のパケットを送信するようにさらに構成される。
【００１５】
[0015]いくつかの態様では、プロセッサは、複数の受信デバイスのうちの特定のデバイスに複数の送信機会中に送信される最後のパケットを決定することと、決定に応答して、最後のパケット中の指示を特定の値に設定することとを行うようにさらに構成される。これらの態様では、送信機は、特定のデバイスに最後のパケットを送信するようにさらに構成される。
【００１６】
[0016]いくつかの態様では、プロセッサは、受信デバイスのうちの１つまたは複数が、いつスリープ状態に入り得るかを示すようにフレームを生成するようにさらに構成される。いくつかの態様では、プロセッサは、複数の示された時間間隔の各々のための時間基準インジケータを備えるようにフレームを生成するようにさらに構成される。いくつかの態様では、プロセッサは、各受信デバイスのための電力制御情報を備えるようにフレームを生成するようにさらに構成される。
【００１７】
[0017]開示される別の態様は、ワイヤレスネットワーク上で送信デバイスと受信デバイスとの間で通信する方法である。本方法は、受信デバイスによって、ワイヤレスネットワーク上で送信デバイスからフレームを受信することと、受信デバイスによって、複数の連続スケジュールブロックを識別するためにフレームを復号することと、受信デバイスによって、送信機会（ＴＸＯＰ：transmission opportunity）中の対応する複数の重複しない時間間隔を決定するために複数のスケジュールブロックの各々を復号することと、受信デバイスによって、受信デバイスが送信デバイスとのマルチユーザ通信を実行することになる時間間隔のうちの少なくとも１つを識別するために、複数のスケジュールブロックの各々を復号することと、受信デバイスによって、識別された少なくとも１つの時間間隔中に送信デバイスと通信することとを含む。
【００１８】
[0018]いくつかの態様では、本方法はまた、スリープ時間情報を決定するためにフレームを復号することと、スリープ時間情報に基づいてスリープ状態に入ることとを含み得る。いくつかの態様では、本方法はまた、重複しない時間間隔のうちの１つ中に送信デバイスからマルチユーザデータメッセージを受信することと、そのデータメッセージが時間間隔中の受信デバイスのための最後のデータメッセージであるかどうかを決定するためにメッセージ中のインジケータを復号することと、そのメッセージが最後のデータメッセージであると決定したことに応答してスリープ状態に入ることとを含み得る。
【００１９】
[0019]いくつかの態様では、本方法は、データ送信が最後のデータ送信であるかどうかを決定するためにデータメッセージのモアデータビット（more data bit）を復号することを含む。いくつかの態様では、本方法は、時間間隔中の送信デバイスへの送信の最大持続時間を決定するためにフレームを復号することと、復号することに基づいて、時間期間中に最大送信持続時間よりも小さいかまたはそれに等しいデータを送信デバイスに送信することとを含む。いくつかの態様では、本方法は、第２のフレームを受信することと、送信デバイスへのデータ送信のための時間間隔内の開始時間を決定するために第２のフレームを復号することと、決定された開始時間において送信デバイスにデータを送信することとを含む。いくつかの態様では、本方法は、送信デバイスへのマルチユーザ通信中でのデータの送信のための時間間隔内の開始時間を決定するためにフレームを復号することを含む。第２のフレームを受信することと、送信デバイスへのデータ送信のための時間間隔内の開始時間を決定するために第２のフレームを復号することと、決定された開始時間において送信デバイスにデータを送信することとをさらに備える、請求項１５に記載の方法。
【００２０】
[0020]開示される別の態様は、送信デバイスを含むワイヤレスネットワーク上で送信デバイスと通信するための装置である。本装置は、送信デバイスから、ワイヤレスネットワークからのフレームを受信するように構成された受信機と、プロセッサとを含み、プロセッサは、複数の連続スケジュールブロックを識別するためにフレームを復号することと、送信機会（ＴＸＯＰ）中の対応する複数の重複しない時間間隔を決定するために複数のスケジュールブロックの各々を復号することと、本装置が送信デバイスとのマルチユーザ通信を実行することになる時間間隔のうちの少なくとも１つを識別するために、複数のスケジュールブロックの各々を復号することと、識別された少なくとも１つの時間間隔中に送信デバイスと通信することとを行うように構成される。本装置のいくつかの態様では、プロセッサは、スリープ時間情報を決定するためにフレームを復号することと、スリープ時間情報に基づいてスリープ状態に入ることとを行うようにさらに構成される。
【００２１】
[0021]本装置のいくつかの態様では、プロセッサは、重複しない時間間隔のうちの１つ中に送信デバイスからマルチユーザデータメッセージを受信することと、そのデータメッセージが時間間隔中の本装置のための最後のデータメッセージであるかどうかを決定するためにメッセージ中のインジケータを復号することと、そのメッセージが最後のデータメッセージであると決定したことに応答してスリープ状態に入ることとを行うようにさらに構成される。本装置のいくつかの態様では、プロセッサは、データ送信が最後のデータ送信であるかどうかを決定するためにデータメッセージのモアデータビットを復号するようにさらに構成される。本装置のいくつかの態様では、プロセッサは、時間間隔中の送信デバイスへの送信の最大持続時間を決定するためにフレームを復号するようにさらに構成される。これらの態様では、送信機は、復号することに基づいて、時間期間中に最大送信持続時間よりも小さいかまたはそれに等しいデータを送信デバイスに送信するようにさらに構成される。
【００２２】
[0022]本装置のいくつかの態様では、プロセッサは、送信デバイスへのマルチユーザ通信中でのデータの送信のための時間間隔内の開始時間を決定するためにフレームを復号するようにさらに構成される。本装置のいくつかの態様では、受信機は、第２のフレームを受信するようにさらに構成され、ここにおいて、プロセッサは、送信デバイスへのデータ送信のための時間間隔内の開始時間を決定するために第２のフレームを復号するようにさらに構成される。これらの態様のうちのいくつかでは、送信機は、決定された開始時間において送信デバイスにデータを送信するようにさらに構成される。
【００２３】
[0023]本装置のいくつかの態様では、プロセッサは、送信デバイスへのマルチユーザ通信中でのデータの送信のための時間間隔内の開始時間を決定するためにフレームを復号するようにさらに構成される。
【図面の簡単な説明】
【００２４】
【図１】[0024]アクセスポイントとユーザ端末とをもつ多元接続多入力多出力（ＭＩＭＯ）システムを示す図。
【図２】[0025]ＭＩＭＯシステムにおけるアクセスポイントと２つのユーザ端末とのブロック図。
【図３】[0026]ワイヤレス通信システム内で採用され得るワイヤレスデバイスにおいて利用され得る様々な構成要素を示す図。
【図４】[0027]図１に関連して、送信機会中のマルチユーザ送信の動作モードの一例を示す時間シーケンス図。
【図５】[0028]図１に関連して、送信機会中のマルチユーザ送信の動作モードの一例を示す時間シーケンス図。
【図６】[0029]ＴＸＯＰ所有者へのマルチユーザ送信が実行される前にＴＸＯＰ所有者によって送信される別個のトリガメッセージ６０３の送信を示す図。
【図７Ａ】[0030]スケジューリングメッセージの部分メッセージフォーマットを示す図。
【図７Ｂ】[0031]共通情報フィールドの一実装形態を示す図。
【図７Ｃ】[0032]デバイス情報フィールドの一実装形態を示す図。
【図８】[0033]送信機会中に通信をスケジュールする方法を示す図。
【図９】[0034]送信機会中に通信する方法を示す図。
【発明を実施するための形態】
【００２５】
[0035]添付の図面を参照しながら、新規のシステム、装置、および方法の様々な態様について以下でより十分に説明する。ただし、本開示教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載の態様をいくつ使用しても、装置は実装され得るか、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するどの態様も請求項の１つまたは複数の要素によって実施され得ることを理解されたい。
【００２６】
[0036]本明細書では特定の態様が説明されるが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００２７】
[0037]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００２８】
[0038]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従って送信され得る。高効率８０２．１１プロトコルの実装形態は、インターネットアクセス、センサー、計測、スマートグリッドネットワーク、または他のワイヤレス適用例のために使用され得る。有利には、この特定のワイヤレスプロトコルを実装するいくつかのデバイスの態様は、他のワイヤレスプロトコルを実装するデバイスよりも少ない電力を消費し得、短い距離にわたってワイヤレス信号を送信するために使用され得、および／または人間などの物体によって阻止される可能性が低い信号を送信することが可能であり得る。
【００２９】
[0039]いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局または「ＳＴＡ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００３０】
[0040]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装し得る。
【００３１】
[0041]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００３２】
[0042]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００３３】
[0043]また、局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００３４】
[0044]図１は、アクセスポイントとユーザ端末とをもつ多元接続多入力多出力（ＭＩＭＯ）システム１００を示す図である。簡単のために、ただ１つのアクセスポイント１１０が図１に示されている。アクセスポイントは、概して、ユーザ端末と通信する固定局であり、基地局と呼ばれるか、または何らかの他の用語を使用して呼ばれることもある。ユーザ端末またはＳＴＡは、固定または移動であり得、移動局またはワイヤレスデバイスと呼ばれるか、あるいは何らかの他の用語を使用して呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントのための調整および制御を行う。
【００３５】
[0045]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡユーザ端末が適切と見なされるときに導入されることを可能にしながら、ＳＤＭＡをサポートしないより古いバージョンのユーザ端末（「レガシー」局）が企業において展開されたままであることを可能にし、それらの有効寿命を延長し得る。
【００３６】
[0046]多元接続多入力多出力（ＭＩＭＯ）システム１００は、ダウンリンクおよびアップリンク上でのデータ伝送のために複数の送信アンテナと複数の受信アンテナとを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが、何らかの手段によって、コード、周波数または時間において多重化されない場合、Ｎap≦Ｋ≦１が成り立つことが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、アクセスポイントにユーザ固有データを送信し、および／またはアクセスポイントからユーザ固有データを受信し得る。概して、各選択されたユーザ端末は、１つまたは複数のアンテナを装備し得る（すなわち、Ｎut≧１）。Ｋ個の選択されたユーザ端末は同じ数のアンテナを有することができるか、または、１つまたは複数のユーザ端末は異なる数のアンテナを有し得る。
【００３７】
[0047]多元接続多入力多出力（ＭＩＭＯ）システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。多元接続多入力多出力（ＭＩＭＯ）システム１００はまた、送信のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。多元接続多入力多出力（ＭＩＭＯ）システム１００は、送信／受信を異なるタイムスロットに分割することによってユーザ端末１２０が同じ周波数チャネルを共有する場合、ＴＤＭＡシステムでもあり得、ここで、各タイムスロットは異なるユーザ端末１２０に割り当てられ得る。
【００３８】
[0048]図２に、多元接続多入力多出力（ＭＩＭＯ）システム１００におけるアクセスポイント１１０と２つのユーザ端末１２０ｍおよび１２０ｘとのブロック図を示す。アクセスポイント１１０はＮt個のアンテナ２２４ａ〜２２４ａｐを装備する。ユーザ端末１２０ｍはＮut,m個のアンテナ２５２ma〜２５２muを装備し、ユーザ端末１２０ｘはＮut,x個のアンテナ２５２xa〜２５２xuを装備する。アクセスポイント１１０は、ダウンリンクでは送信エンティティであり、アップリンクでは受信エンティティである。ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択される。ＮupはＮdnに等しいことも等しくないこともあり、ＮupおよびＮdnは静的な値であり得るか、または各スケジューリング間隔について変化し得る。ビームステアリングまたは何らかの他の空間処理技法がアクセスポイント１１０および／またはユーザ端末１２０において使用され得る。
【００３９】
[0049]アップリンク上で、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からの送信のために、たとえばアクセスポイント１１０に送信するために、Ｎut,m個のアップリンク信号を与える。
【００４０】
[0050]Ｎup個のユーザ端末が、アップリンク上での同時送信のためにスケジュールされ得る。これらのユーザ端末の各々は、それのそれぞれのデータシンボルストリームに対して空間処理を実行し、アップリンク上で送信シンボルストリームのそれのそれぞれのセットをアクセスポイント１１０に送信し得る。
【００４１】
[0051]アクセスポイント１１０において、Ｎup個のアンテナ２２４ａ〜２２４apは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎup個の受信機ユニット２２２からのＮup個の受信シンボルストリームに対して受信機空間処理を実行し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行され得る。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。
【００４２】
[0052]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（プリコーディングまたはビームフォーミングなどの）空間処理を実行し、Ｎup個の送信シンボルストリームをＮup個のアンテナに与える。各送信機ユニット２２２は、ダウンリンク信号を生成するために、それぞれの送信シンボルストリームを受信し、処理する。Ｎup個の送信機ユニット２２２は、Ｎup個のアンテナ２２４からの送信のために、たとえばユーザ端末１２０に送信するために、Ｎup個のダウンリンク信号を与え得る。
【００４３】
[0053]各ユーザ端末１２０において、Ｎut,m個のアンテナ２５２はアクセスポイント１１０からＮup個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元ダウンリンクデータシンボルストリームをユーザ端末１２０に与える。受信機空間処理は、ＣＣＭＩ、ＭＭＳＥ、または何らかの他の技法に従って実行され得る。ＲＸデータプロセッサ２７０は、ユーザ端末のための復号データを取得するために、復元ダウンリンクデータシンボルストリームを処理（たとえば、復調、デインターリーブおよび復号）する。
【００４４】
[0054]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のためのコントローラ２８０は、一般に、そのユーザ端末のためのダウンリンクチャネル応答行列Ｈdn,mに基づいてユーザ端末のための空間フィルタ行列を導出する。コントローラ２３０は、有効アップリンクチャネル応答行列Ｈup,effに基づいてアクセスポイントのための空間フィルタ行列を導出する。各ユーザ端末のためのコントローラ２８０は、フィードバック情報（たとえば、ダウンリンクおよび／またはアップリンク固有ベクトル、固有値、ＳＮＲ推定値など）をアクセスポイント１１０に送り得る。コントローラ２３０およびコントローラ２８０はまた、それぞれ、アクセスポイント１１０およびユーザ端末１２０における様々な処理ユニットの動作を制御し得る。
【００４５】
[0055]図３に、多元接続多入力多出力（ＭＩＭＯ）システム１００内で採用され得るワイヤレスデバイス３０２において利用され得る様々な構成要素を示す。ワイヤレスデバイス３０２は、本明細書で説明する様々な方法を実装するために構成され得るデバイスの一例である。ワイヤレスデバイス３０２はアクセスポイント１１０またはユーザ端末１２０を実装し得る。
【００４６】
[0056]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、メモリ３０６内に記憶されたプログラム命令に基づいて論理演算と算術演算とを実行し得る。メモリ３０６中の命令は、本明細書で説明する方法を実装するために実行可能であり得る。
【００４７】
[0057]プロセッサ３０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００４８】
[0058]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００４９】
[0059]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数のトランシーバアンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００５０】
[0060]ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度、および他の信号として検出し得る。ワイヤレスデバイス３０２は、信号を処理する際に使用するためのデジタル信号プロセッサ（ＤＳＰ）３２０をも含み得る。
【００５１】
[0061]ワイヤレスデバイス３０２の様々な構成要素は、データバスに加えて、電力バスと、制御信号バスと、ステータス信号バスとを含み得る、バスシステム３２２によって互いに結合され得る。
【００５２】
[0062]本開示のいくつかの態様は、複数のＳＴＡからＡＰにアップリンク（ＵＬ）信号を送信することをサポートする。いくつかの実施形態では、ＵＬ信号は、マルチユーザＭＩＭＯ（ＭＵ−ＭＩＭＯ）システムにおいて送信され得る。代替的に、ＵＬ信号は、マルチユーザＦＤＭＡ（ＭＵ−ＦＤＭＡ）システムまたは同様のＦＤＭＡシステムにおいて送信され得る。詳細には、図４〜図７に、ＵＬ−ＦＤＭＡ送信に等しく適用されるであろうＵＬ−ＭＵ−ＭＩＭＯ送信４１０Ａ、４１０Ｂを示す。これらの実施形態では、ＵＬ−ＭＵ−ＭＩＭＯ送信またはＵＬ−ＦＤＭＡ送信は、複数のＳＴＡからＡＰに同時に送られることがあり、ワイヤレス通信における効率をもたらし得る。
【００５３】
[0063]図４は、送信機会４０１内のマルチユーザ通信４００の一例を示す時間シーケンス図である。図４に示されているように、および図１に関連して、ＡＰ１１０は、どのＳＴＡがＭＵ−ＭＩＭＯ通信に参加し得るかを示すスケジューリング（ＳＣＨ：scheduling）メッセージ４０２をユーザ端末１２０ａ〜ｂに送信し得る。スケジューリングメッセージフレーム構造の一例について、図７を参照しながら以下でより十分に説明する。いくつかの態様では、スケジューリングメッセージ４０２はクリアツートランスミット（ＣＴＸ：clear to transmit）メッセージであり得る。いくつかの態様では、マルチユーザ通信は、アップリンクであるまたはｔｘｏｐ所有者デバイス（owner device）に送信される、あるいはダウンリンクであるまたはｔｘｏｐ所有者デバイスから送信されるものとして指定される。
【００５４】
[0064]ユーザ端末１２０が、ユーザ端末が識別されるＡＰ１１０からのスケジューリングメッセージ４０２を受信すると、そのユーザ端末はＭＵ−ＭＩＭＯ通信４１０に参加し得る。図４では、ＳＴＡ１２０ＡおよびＳＴＡ１２０Ｂは、物理レイヤコンバージェンスプロトコル（ＰＬＣＰ）プロトコルデータユニット（ＰＰＤＵ：protocol data unit）を含んでいるＭＵ−ＭＩＭＯ送信４１０Ａおよび４１０Ｂを送信する。これらの送信は、少なくとも部分的に同時に行われ得る。アップリンクＭＵ−ＭＩＭＯ送信４１０を受信すると、ＡＰ１１０は、ブロック確認応答（ＢＡ）４７０をユーザ端末１２０に送信し得る。
【００５５】
[0065]図５は、図１に関連して、送信機会５０１中のマルチユーザ送信の動作モードの一例を示す時間シーケンス図である。この実施形態では、ユーザ端末１２０Ａ〜Ｄは、ＴＸＯＰ所有者（図示せず）からスケジューリングメッセージ５０２を受信する。スケジューリングメッセージ５０２は、送信機会５０１のためのスケジューリング情報を含む。たとえば、スケジューリングメッセージ５０２は、ＴＸＯＰ５０１内の２つまたはそれ以上の時間期間を指定し得る。図５に示されているように、スケジューリングメッセージ５０２は２つの時間期間Ｔ1およびＴ2を定義する。スケジューリングメッセージ５０２は、時間期間の各々中に通信し得る１つまたは複数のデバイスをさらに定義し得る。時間期間のうちの少なくとも１つは、２つまたはそれ以上のデバイスとのマルチユーザ通信を含むように定義される。たとえば、図５に示されているように、ＳＴＡ１２０ＡおよびＳＴＡ１２０Ｂは、時間期間Ｔ1中にマルチユーザ通信５０９ａ〜ｂを介して通信している。ＳＴＡ１２０ＣおよびＳＴＡ１２０Ｄは、時間期間Ｔ2中にマルチユーザ通信５１０Ａ〜Ｂを介して通信している。通信５０９Ａ〜Ｂおよび５１０Ａ〜Ｂは、マルチユーザ多入力多出力（ＭＵ−ＭＩＭＯ）または直交周波数分割多重（ＯＦＤＭ）のうちの１つまたは複数を採用し得る。時間期間Ｔ1および／またはＴ2中に、マルチユーザ通信は、ＴＸＯＰ所有者と、時間期間中に通信している（ＳＴＡ１２０Ａ〜ＢまたはＳＴＡ  Ｃ〜Ｄなどの）他のデバイスとの間のメッセージの少なくとも部分的同時送信または受信を含み得る。
【００５６】
[0066]マルチユーザ通信５０９Ａ〜Ｂおよび５１０Ａ〜Ｂの各々は、アップリンク送信またはダウンリンク送信のいずれかであり得る。いくつかの態様では、スケジューリングメッセージ５０２は、通信５０９Ａ〜Ｂおよび５１０Ａ〜Ｂの各々のための通信の方向を示し得る。（５０９Ａおよび５０９Ｂは、両方ともＴＸＯＰ所有者から送信されるか、またはＴＸＯＰ所有者に送信されるかのいずれかであり得ることに留意されたい）時間期間Ｔ1およびＴ2の各々内で、それぞれの時間期間中に送信されるＰＰＤＵは、同じく、同じ時間期間中に確認応答され得る。たとえば、ブロック確認応答５７０ａは通信５０９Ａ〜Ｂに確認応答するが、ブロック確認応答５７０ｂは通信５１０Ａ〜Ｂに確認応答する。一態様では、ブロック確認応答は、ＰＰＤＵの終了から短い時間（たとえば、ＳＩＦＳ）後に送信され得る。一態様では、ブロック確認応答の時間はスケジューリングメッセージによって指定され得る。通信５０９Ａ〜ＢがＳＴＡ１２０Ａ〜Ｂからアップリンクされた場合、受信ＴＸＯＰ所有者は時間期間Ｔ1中にブロック確認応答５７０ａを送信し得る。通信５１０Ｃ〜ＤがＴＸＯＰ所有者によって送信された場合、ブロック確認応答５７０ｂは、時間期間Ｔ２中に通信を受信するデバイス（すなわち、図示された態様におけるＳＴＡ１２０ＡおよびＳＴＡ１２０Ｂ）によって送信され得る。いくつかの態様では、スケジューリングメッセージ５０２は、第１の時間期間Ｔ1中にアップリンクデータを送るデバイスが、スケジューリングメッセージ５０２の受信後にそれらのアップリンク送信５０９Ａ〜Ｂを開始すべきであることをさらに示し得る。代替的に、いくつかの態様では、スケジューリングメッセージ５０２は、通信５０９Ａ〜ＢがＳＴＡ１２０Ａ〜Ｂによって送信されるべきである時間を示し得る。いくつかの態様では、通信５０９Ａ〜Ｂおよび５１０Ａ〜Ｂの順序は、示されている順序から反転され得る。たとえば、アップリンク送信は、送信機会５０１中にダウンリンク送信に続き得る。この場合、スケジューリングメッセージ５０２は、アップリンク通信５０９Ａ〜Ｂのためのトリガメッセージとして働かないことがある。代わりに、別個のトリガメッセージがＴＸＯＰ所有者によって送信され得る。いくつかの態様では、スケジューリングメッセージ５０２はクリアツートランスミット（ＣＴＸ）メッセージであり得る。
【００５７】
[0067]図６に、ＴＸＯＰ所有者へのマルチユーザ送信６１１Ａ〜Ｂが実行される前にＴＸＯＰ６０１所有者によって送信される別個のトリガメッセージ６０３の送信を示す。図５と同様に、図６は、少なくとも３つの時間期間Ｔ1〜Ｔ3に分割されるＴＸＯＰ６０１を示している。図６に示されているマルチユーザ送信６０９Ａ〜Ｂ、６１０Ａ〜Ｂ、および６１１Ａ〜Ｂは、たとえば、ＭＵ−ＭＩＭＯまたはＯＦＤＭを使用する複数のデバイスから／への同時送信を含み得る。一態様では、別個のトリガメッセージ６０３は省略され得る。これらの態様では、スケジューリングメッセージ６０２は、アップリンク送信６１１Ａおよび６１１Ｂの開始時間を示し得る。
【００５８】
[0068]スケジューリングメッセージ６０２は、ＴＸＯＰ６０１中にＴＸＯＰ所有者（図示せず）によって送信される。スケジューリングメッセージ４０２および５０２に関して上記で説明したように、スケジューリングメッセージ６０２は、ＴＸＯＰ６０１内の複数の重複しない時間期間Ｔ1〜Ｔ3を定義するか、または示し得る。スケジューリングメッセージは、時間期間Ｔ１〜Ｔ３の各々中に通信することになるデバイスをさらに示し得る。時間期間のうちの少なくとも１つ中に、ＴＸＯＰ所有者と少なくとも２つの他のデバイスとの間で、マルチユーザ通信が実行されることになる。図示のように、時間期間Ｔ１〜Ｔ３の各々中に、２つのデバイスが、マルチユーザ通信を使用してＴＸＯＰ所有者と通信する。いくつかの態様では、時間期間中に通信しているデバイスは、スケジューリングメッセージ６０２中でそれらの関連付け識別子（ＡＩＤ：association identifier）、メディアアクセス制御（ＭＡＣ：media access control）アドレス、またはグループ識別子を示すことによって、スケジューリングメッセージ６０２を介してＴＸＯＰ所有者によって識別され得る。いくつかの態様では、３つ以上のデバイスが、時間期間Ｔ1〜Ｔ3中にＴＸＯＰ所有者とのマルチユーザ通信を実行し得る。スケジューリングメッセージ６０２はまた、時間期間の各々中の通信がアップリンク通信であるのかダウンリンク通信であるのかを示し得る。
【００５９】
[0069]図示された態様では、通信６０９Ａ〜Ｂは局１２０Ａ〜ＢによってＴＸＯＰ６０１所有者に送信され得る。いくつかの態様では、スケジューリングメッセージ６０２は、スケジューリングメッセージ６０２が受信された後にＳＴＡ１２０Ａ〜Ｂデバイスが通信６０９Ａ〜Ｂの送信を開始すべきであることをＳＴＡ１２０Ａ〜Ｂデバイスに示すように機能するインジケータ、たとえば、フィールドまたはビットをメッセージ６０２中に含み得る。いくつかの態様では、スケジューリングメッセージ６０２の受信が受信されてから固定またはあらかじめ定義された時間期間、たとえば、ショートフレーム間スペース（ＳＩＦＳ：short inter-frame space）時間後に、通信は開始されるべきである。他の態様では、スケジューリングメッセージ６０２は、スケジューリングメッセージ６０２の受信からその時間量の後に、または所与の時間期間内の特定の時間オフセットにおいて、送信６０９Ａ〜Ｂが開始されるべきであることを（スケジューリングメッセージ６０２中のフィールドまたはビットを介して）ＴＸＯＰ６０１所有者に示し得る。いくつかの態様では、受信デバイスは、スケジューリングメッセージ６０２の受信に基づいてＴＸＯＰ所有者への送信を開始し得る。通信６０９Ａ〜ＢがＴＸＯＰ６０１所有者によって受信された後、ＴＸＯＰ６０１所有者はＳＴＡ１２０ＡおよびＳＴＡ１２０Ｂにブロック確認応答６７０ａを送信し得る。
【００６０】
[0070]時間期間Ｔ2中に、それぞれＳＴＡ１２０Ｃおよび１２０Ｄとのマルチユーザ通信６１０Ａ〜Ｂが実行される。通信６１０Ａ〜ＢがＴＸＯＰ所有者によってＳＴＡ１２０Ｃ〜Ｄに送信された場合、ＳＴＡ１２０Ｃ〜Ｄは時間期間Ｔ2中にＴＸＯＰ６０１所有者にブロック確認応答６７０ｂを送信し得る。
【００６１】
[0071]スケジューリングメッセージ６０２は、時間期間Ｔ3中の通信がＴＸＯＰ６０１所有者デバイスに送信されるべきであることを示し得る。通信６１１Ａ〜Ｂが時間期間Ｔ3中に開始される前に、ＴＸＯＰ６０１所有者デバイスはトリガメッセージ６０３を送信し得る。トリガメッセージ６０３は、ＴＸＯＰ６０１所有者デバイスへの送信６１１Ａ〜Ｂを開始するための時間をＳＴＡ  ＤおよびＳＴＡ  Ｆに示し得る。通信６０９Ａ〜Ｂのためのトリガメッセージとして動作するスケジューリングメッセージ６０２に関して上記で説明したように、トリガメッセージ６０３は、トリガメッセージ６０３の受信が完了してから固定または所定の時間期間後に、通信６１１Ａ〜Ｂが開始されるべきであることをＳＴＡ１２０ＤおよびＳＴＡ１２０Ｆに示し得る。代替的に、トリガメッセージ６０３は、トリガメッセージ６０３の受信からある時間の量の後に、通信６１１Ａ〜Ｂの送信が開始されるべきであることを示し得る。代替的に、送信の開始は、時間間隔Ｔ3内の時間オフセットを指定するトリガメッセージ６０３によって示され得る。通信６１１Ａ〜Ｂが実行された後、ＴＸＯＰ６０１所有者デバイスは時間期間Ｔ3中にブロック確認応答６７０ｃを送信し得る。図５と図６の両方がブロック確認応答の送信を示しているが、いくつかの態様では、通常確認応答メッセージが、本明細書で説明する通信に確認応答するために使用され得ることに留意されたい。また、図６は、ＴＸＯＰ６０１所有者デバイス（６０９Ａ〜Ｂ）に送信される第１の通信がスケジューリングメッセージ６０２によってトリガされることを示しているが、いくつかの態様では、ＴＸＯＰ６０１所有者デバイスへの通信６０９Ａ〜Ｂの開始を制御するために、トリガメッセージ６０３と同様の、別個のトリガメッセージが時間期間Ｔ１中に送信され得ることに留意されたい。
【００６２】
[0072]いくつかの態様では、ワイヤレスネットワーク上の局が、スケジューリングメッセージ６０２に基づいてスリープ状態に入るための時間期間を決定し得る。たとえば、ＳＴＡ１２０Ｂは、それが、送信６０９Ｂのための確認応答を受信してからある時間期間後から、少なくとも時間期間Ｔ3の終了までスリープ状態に入り得ると決定し得る。同様に、ＳＴＡ１２０Ｆは、それが時間期間Ｔ1〜Ｔ2中にスリープ状態に入り得るが、時間期間Ｔ3中に情報を受信する準備ができていなければならないと決定し得る。いくつかの態様では、これらの決定は、スケジューリングメッセージ６０２中で与えられる、時間期間Ｔ１〜Ｔ３と、それらの時間期間Ｔ１〜Ｔ３の各々中の通信に割り当てられた局との指示に基づいて行われる。いくつかの態様では、スケジューリングメッセージ６０２は、１つまたは複数の局にスリープ時間情報を与える（フィールドまたはビットなどの）明示的指示を含む。たとえば、明示的指示は、局または局のグループがその間にスリープ状態に入り得るＴＸＯＰ６０１内の時間オフセットおよび持続時間を定義し得る。
【００６３】
[0073]いくつかの態様では、スケジューリングメッセージ６０２は、ＴＸＯＰ所有者がスケジューリングメッセージ６０２の後に追加のＳＣＨフレームを送信することになるかどうかをさらに示し得る。追加のスケジューリングメッセージが、フレーム６０２中でスケジュールされるデバイスについて追加のスケジューリング情報を与え得る。
【００６４】
[0074]たとえば、スケジュールフレーム６０２は、特定のデバイスが現在のＴＸＯＰの後の追加のスケジューリングフレーム中でスケジュールされることになることをそれらのデバイスに示し得る。これらの特定のデバイスは、第２のＳＣＨメッセージが受信され得るように、ＴＸＯＰが完了した後に起動すべきである。いくつかの態様では、ＳＣＨフレーム６０２のフレーム制御フィールド中のモアデータビットが、この目的で使用され得る。たとえば、モアデータビットが特定の値に設定された場合、受信デバイスは、ＴＸＯＰ６０１が完了した後、スリープ状態を抜けるか、またはＴＸＯＰ所有者と通信する準備ができていることになる。モアデータビットが異なる特定の値に設定された場合、受信デバイスは、必ずしもＴＸＯＰの後にスリープ状態を抜けるとは限らないが、ワイヤレスネットワークに関連する他のパラメータに基づいてスリープ状態を抜けることがある。
【００６５】
[0075]図７Ａは、スケジューリングメッセージの部分メッセージフォーマットである。いくつかの態様では、スケジューリングメッセージ４０２、５０２、および／または６０２のうちの１つまたは複数は、メッセージフォーマット７００の態様に実質的に準拠し得る。
【００６６】
[0076]メッセージフォーマット７００は、フレーム制御フィールド７０２と、持続時間フィールド７０４と、送信機アドレスフィールド７０６と、受信機アドレスフィールド７０８と、制御フィールド７１０と、１つまたは複数のスケジュールブロックフィールド７１２ａ〜ｎと、フレーム検査シーケンスフィールド７１４とを含む。
【００６７】
[0077]スケジュールブロックフィールド７１２ａ〜ｎの各々は、特に、少なくともいくつかのマルチユーザ通信がその間に実行される送信機会内の時間期間を識別し得る。スケジュールブロックフィールド７１２ａ〜ｎは、アップリンク／ダウンリンクインジケータフィールド７２２と、長さフィールド７２４と、共通情報フィールド７２６と、１つまたは複数のデバイス情報フィールド７２８ａ〜ｍとを含む。アップリンク／ダウンリンクインジケータフィールド７２２は（以下で説明する共通情報フィールド７２６中の時間基準を介して）対応するスケジュールブロックによって識別される時間期間中にアップリンク通信が実行されることになるのか、ダウンリンク通信が実行されることになるのかを示す。長さフィールド７２４は、対応するスケジュールブロックフィールドによって定義される時間期間の長さを示す。いくつかの態様では、スケジュールブロックは、メッセージフォーマット７００に従ってフォーマットされるフレームの連続部分中中にある。
【００６８】
[0078]図７Ｂに、共通情報フィールド７２６の一実装形態を示す。共通情報フィールド７２６は時間基準７３２を含み、場合によっては、物理プロトコルデータユニット持続時間フィールド７３４と他のパラメータフィールド７３６とを含み得る。いくつかの態様では、フィールド７３４および７３６は、ＵＬ／ＤＬフィールド７２２が、時間期間中に実行される通信がアップリンク送信になることを示すとき、共通情報フィールド７２６中に含まれ得る。時間基準７３２は、送信機会内の時間期間のための開始時間を示す。時間基準を含むスケジュールブロック７１２は、時間基準フィールド７３２によって示された時間期間内に通信がどのように行われるかを定義する。ＰＰＤＵ持続時間フィールド７３４は、対応するスケジューリングブロック７１２によって識別される時間期間中にスケジューリングメッセージを送信するＴＸＯＰ所有者に送信され得るＰＰＤＵの最大長を示す。一態様では、長さフィールド７２４は、各ブロックの開始時間を決定するために受信デバイスによって使用され得る。これらの態様では、対応する時間間隔のための開始時間およびＰＰＤＵ長さは、スケジューリングブロックの各々中の長さフィールド（たとえば７２４）から導出され得る。これらの態様では、共通情報フィールドは、ＰＰＤＵ持続時間７３４と時間基準フィールド７３２とを省略し得る。
【００６９】
[0079]図７Ｃに、デバイス情報フィールド７２８ａの一実装形態を示す。デバイス情報フィールドは、デバイス識別子フィールド７３２と、電力制御フィールド７４４と、タイミング情報フィールド７４６と、トラフィック識別子情報フィールド７４８と、他のパラメータフィールド７５０とを含む。デバイス識別子フィールド７４２は、共通情報フィールド７２６の時間基準フィールド７３２によって識別される時間期間中に通信を実行すべきである、ワイヤレスネットワーク上の１つまたは複数のデバイスを識別し得る。いくつかの態様では、デバイス識別子フィールド７４２は、時間期間中に通信を実行すべきデバイスのＡＩＤを示し得る。いくつかの態様では、デバイス識別子フィールド７４２は、時間期間中に通信を実行すべきデバイスのＭＡＣアドレスを示し得る。いくつかの態様では、デバイス識別子フィールド７４２は、時間期間中に通信を実行すべき１つまたは複数のデバイスのグループ識別子を示し得る。いくつかの態様では、デバイス識別子フィールド７４２は１つまたは複数のデバイス能力を示し得る。デバイスｉｄフィールド７４２を受信するデバイスが、識別された能力を所持するか、または含む場合、メッセージ７００は、これらの態様では、デバイスが対応する時間期間中に通信することになることを示し得る。
【００７０】
[0080]いくつかの態様では、電力制御フィールド７４４は、デバイスｉｄフィールド７４２によって識別されるデバイスがスリープ状態にあり得る、対応するスケジュールブロック７１２によって識別される時間期間内の時間の部分を、識別されるデバイスに示し得る。
【００７１】
[0081]図８は、送信機会中に通信をスケジュールする方法である。プロセス８００は、いくつかの態様では、上記で説明したワイヤレスデバイス３０２、および／またはＡＰ１１０および／またはＳＴＡ１２０のいずれかによって実行され得る。いくつかの態様では、プロセス８００はＴＸＯＰ所有者によって実行される。
【００７２】
[0082]プロセス８００は、通信ネットワークにおいてワイヤレス通信媒体のより効率的な割振りを与え得る。通信ネットワークは送信デバイスと複数の受信デバイスとを含み得る。送信デバイスと複数の受信デバイスの両方が、通信ネットワーク上の情報の送信と受信の両方を行い得る。
【００７３】
[0083]ＴＸＯＰ所有者とワイヤレスネットワーク上の他のデバイスとの間でマルチユーザ通信が実行され得る送信機会中の時間期間をスケジュールすることによって、送信機会は、デバイスの複数のセット（またはグループ）からのデータの送信と受信の両方を行うために利用され得る。たとえば、図６に関して上記で示したように、送信機会は、デバイスの第１のセットからマルチユーザデータを受信し、デバイスの第２のセットにマルチユーザデータを送信し、デバイスの第３のセットからマルチユーザデータを受信するために使用され得る。いくつかの態様では、デバイスの第１のセット、第２のセット、および／または第３のセットは重複し得る。いくつかの態様では、プロセス８００は、図７に関して上記で説明したフレーム７００を生成し得る。送信機会は、デバイスによって管理または所有されるワイヤレス媒体上の無競合期間であり得る。
【００７４】
[0084]ブロック８０５において、デバイスによって、フレームを生成する。いくつかの態様では、フレームを生成するデバイスは、デバイスがフレームを生成した後にフレームを送信するという点で、送信デバイスと呼ばれることがある。ブロック８０５において生成されるフレームは、上記で説明したスケジューリングメッセージ４０２、５０２、または６０２のいずれかであり得る。いくつかの態様では、ブロック８０５において生成されるフレームはクリアツートランスミット（ＣＴＸ）フレームである。フレームは、複数の第１のインジケータを備えるように生成される。いくつかの態様では、フレームは、図７Ａ〜図７Ｃに示されているように、複数のスケジュールブロックを含むように生成される。第１のインジケータの各々は、送信機会中の異なる重複しない時間間隔を識別する。送信機会は、フレームを生成するデバイスによって、または理論上は別のデバイスによって所有され得る。いくつかの態様では、フレームは、複数のスケジュールブロックを備えるように生成され、各スケジュールブロックは、たとえば、図７Ａおよび複数のスケジュールブロック７１２ａ〜ｎにおいて示されているように、送信機会中の重複しない時間間隔を識別するインジケータを含む。たとえば、図６に示されているように、ブロック８０５において生成されるフレームは、時間期間Ｔ1〜Ｔ3を識別し得る。図７に示されているように、各時間期間は、いくつかの態様では、時間基準フィールド７３２と長さフィールド７２４とによって識別され得る。
【００７５】
[0085]フレームはまた、識別された重複しない時間間隔の各々のための１つまたは複数の第２のインジケータを含むように生成される。第２のインジケータのうちの少なくとも１つは、対応する識別された時間間隔中に通信すべき複数のデバイスを識別する。複数のデバイスは、これらのデバイスがブロック８０５において生成されたフレームを受信していることを伝えるためのいくつかのコンテキストにおいて、複数の受信デバイスと呼ばれることがある。図８に示されているように、各スケジュールブロック７１２ａ〜ｎは、いくつかの態様では、デバイス情報フィールド７２８ａ〜ｍを含み得る。いくつかの態様では、デバイス情報フィールド７２８ａ〜ｍは、上記で説明した第２のインジケータであり得る。いくつかの態様では、フレームは、識別されたデバイスごとに１つのデバイス情報フィールドを含み得る。各デバイスは、メディアアクセス制御アドレス、関連付け識別子、デバイス能力、またはグループ識別子を介して識別され得る。いくつかの態様では、第２のインジケータの値は、特定のデバイス能力に対応するように定義され得る。受信デバイスが、識別された能力を含む場合、フレームは、これらの態様では、デバイスが対応するスケジュールブロックによって識別された時間期間中に通信することになることを示し得る。いくつかの態様では、デバイス情報フィールドは、たとえば、グループ識別子を使用して複数のデバイスを識別し得る。
【００７６】
[0086]いくつかの態様では、フレームはまた、識別された時間間隔の各々のための追加の第３のインジケータを含むように生成される。第３のインジケータは、フレームを受信するデバイスに、デバイスが対応する識別された時間間隔中にアップリンク送信を実行することになるのか、ダウンリンク送信を実行することになるのかを示す。いくつかの態様では、第３のインジケータは、上記で説明したスケジュールブロック中に含まれ得る。図７Ａに示されているように、アップリンク／ダウンリンクインジケータフィールド７２２は、いくつかの態様では、この機能を実行し得る。データが時間間隔中にアップリンク上で送られることになるとき、フレームは、ＵＬデータのために使用され得る最大物理プロトコルデータユニット持続時間を示すように生成され得る。たとえば、図７Ｂに示されているように、ＰＰＤＵ持続時間フィールド７３４は、いくつかの態様では、この機能を実行し得る。
【００７７】
[0087]いくつかの態様では、フレームは、複数の識別された時間間隔のための追加のインジケータを含むように生成され、追加のインジケータは時間基準を示す。いくつかの態様では、各スケジュールブロックは追加のインジケータを含み得る。時間基準は、対応する時間間隔のための開始時間を示し得る。いくつかの態様では、時間基準は、フレームの送信に対する開始時間、または送信機会の開始時間に対する開始時間を示し得る。
【００７８】
[0088]いくつかの態様では、フレームは、識別された時間間隔のうちの１つ中に発生する送信機会所有デバイス（owning device）への送信のための開始時間を示すように生成される。たとえば、第１の発生する識別された時間間隔が、ＴＸＯＰ所有者デバイスにマルチユーザデータを送信するために使用されることになる場合、フレームは、その送信をトリガするか、または送信デバイスがその送信をいつ開始すべきかを示すように生成され得る。
【００７９】
[0089]いくつかの態様では、フレームは、デバイススリープ情報を含むように生成される。デバイススリープ情報は、１つまたは複数のデバイスが送信機会中にいつスリープ状態に入り得るかを示し得る。スリープ時間情報は、複数のスリープ時間期間を識別し、スリープ時間期間の各々中にスリープし得る１つまたは複数のデバイスをも識別し得る。いくつかの態様では、フレームは、時間間隔中にアップリンクデータを送るデバイスのための電力制御情報を含むようにさらに生成される。いくつかの態様では、フレームの生成に関して上記で説明した機能のうちの１つまたは複数は、プロセッサ３０４によって実行され得る。
【００８０】
[0090]ブロック８１０において、送信デバイスからワイヤレス媒体上にフレームを送信する。いくつかの態様では、フレームは、フレーム中で識別されたすべての受信デバイスに送信される。たとえば、単一のデバイスまたはデバイスの単一のグループのみが送信機会中に通信のためにスケジュールされた場合、フレームは、それらのデバイスのみに送信され得る。いくつかの態様では、フレームは、媒体上でブロードキャストまたはマルチキャストされる。デバイスはフレームを受信し、デバイスが、示された時間間隔の各々中に通信することになるかどうかを決定するためにフレームを復号し得る。フレームを受信するデバイスが、そのデバイスが概して時間間隔またはＴＸＯＰ中に通信するようにスケジュールされないと決定した場合、受信デバイスは、決定に応答して時間間隔またはＴＸＯＰの持続時間の間スリープ状態に入り得る。
【００８１】
[0091]図５および図６に関して上記で示されたように、フレームがブロック８１０において送信された後、デバイスは、送信されたフレームによって識別される複数のデバイスとのマルチユーザ通信を実行し得る。様々な態様では、（１つまたは複数の）マルチユーザ通信は、マルチユーザ多入力多出力（ＭＵ−ＭＩＭＩＯ）を使用して、または直交周波数分割多重（ＯＦＤＭ）を使用して実行され得る。たとえば、デバイスは、識別された時間間隔中に識別されたデバイスのうちの２つまたはそれ以上と同時にメッセージを送信または受信し得る。
【００８２】
[0092]ブロック８０５において生成されるフレームは、マルチユーザ送信のための制御情報を示すように生成され得る。たとえば、デバイスは、マルチユーザ通信中に通信することになる各デバイスにチャネルおよびまたは周波数を割り当て得る。ＭＵ−ＭＩＭＯが使用される場合、フレームは、特定の時間間隔中に通信するための各識別された局のための空間チャネル割当てを示すように生成され得る。ＯＦＤＭが通信のために利用される場合、フレームは、特定の時間間隔中に通信するための各識別された局のための周波数割当てを示すように生成され得る。マルチユーザ通信は、次いで、デバイスによる割当てに従って実行され得る。マルチユーザ制御情報は、各時間間隔について変動し得る。したがって、いくつかの態様では、デバイス情報フィールド７２８ａ〜ｍの各々はマルチユーザ制御情報を含み得る。
【００８３】
[0093]いくつかの態様では、第２のデバイスはフレームによって識別され、フレームは、第２のデバイスが第１の時間期間中にデータを受信すべきであることを示し、第１の時間期間はまた、重複しない時間間隔のうちの１つとしてフレームによって識別される。これらの態様のうちのいくつかでは、デバイスが、識別された第２のデバイスに特定のデータメッセージを送信する前に、デバイスは、データメッセージが第２のデバイスに送信された「最後」のデータメッセージであるかどうかを決定する。いくつかの態様では、「最後」は、その時間期間中の最後のメッセージを指す。いくつかの態様では、「最後」は、ＴＸＯＰ中の最後のメッセージを指す。いくつかの他の態様では、「最後」は、その受信機のために利用可能な、送信機が現在有する最後のパケットを指す。したがって、これは、複数の送信機会中の最後のパケットであり得る。いくつかの態様では、デバイスは最後のデータメッセージ中のインジケータを特定の値に設定し得、特定の値は、メッセージが最後のデータメッセージであることを示す。いくつかの態様では、このインジケータはモアデータビットである。いくつかの態様では、モアデータビットはフレーム制御フィールド７０２中に含まれる。いくつかの態様では、送信デバイスはＳＴＡであり得る。いくつかの態様では、プロセス８００は、識別された時間間隔中にトリガフレームを送信することをさらに含む。トリガフレームは、識別された時間間隔中に通信するデバイスが送信機会所有デバイスへの送信を開始すべきであることを示すために送信される。いくつかの態様では、トリガフレームは、トリガフレームの受信から所定の経過時間、たとえば、ショートフレーム間スペース時間（ＳＩＰＳ）後に送信が開始されるべきであることを示し得る。代替的に、トリガフレームは、これらの送信が開始されるべき、識別された時間間隔の開始時間からのオフセットを示す（フィールドまたは一連のビットを介した）時間インジケータを含み得る。プロセス８００は、識別された時間間隔中に通信するデバイスからデータを受信することさらに含み得る。いくつかの態様では、ブロック８１０に関して上記で説明した機能、ならびにブロック８１０の説明の後の説明は、プロセッサ３０４、送信機３１０、および／または受信機３１２のうちの１つまたは複数によって実行され得る。
【００８４】
[0094]図９は、送信機会中に通信する方法である。プロセス９００は、いくつかの態様では、上記で説明したワイヤレスデバイス３０２、および／またはＡＰ１１０および／またはＳＴＡ１２０のいずれかによって実行され得る。いくつかの態様では、プロセス９００は、ＴＸＯＰ中にＴＸＯＰ所有者と通信することになるデバイスによって実行される。ＴＸＯＰは、ＴＸＯＰ所有者によって管理されるワイヤレスネットワーク上の無競合期間である。いくつかの態様では、ＴＸＯＰ中に、送信機会を所有しないデバイスは、ブロック９０５において受信されたフレームによってスケジュールされない限り、送信を開始すべきでない。
【００８５】
[0095]プロセス９００は、ワイヤレス媒体のより効率的な割振りを与え得る。ＴＸＯＰ所有者とワイヤレスネットワーク上の他のデバイスとの間でマルチユーザ通信が実行され得る送信機会中の時間期間をスケジュールすることによって、デバイスは、それらがネットワーク上でデータを受信または送信しないことになる時間期間をより容易に決定し得る。これは、デバイスがネットワーク上でデバイス非アクティビティの期間中にスリープ状態に入ることを可能にし得る。たとえば、スリープ状態に入ることによって、いくつかの態様では、デバイスは、１つまたは複数のハードウェア構成要素を、別のタイプの動作モードよりも少ない電力を消費するモードに遷移させ得る。たとえば、ワイヤレスネットワーク上でデータを受信および／または送信するハードウェア構成要素またはハードウェア構成要素の部分は、送信および／または受信チップが、ネットワークの非アクティブ期間中により少ない電力を消費するようにパワーダウンされ得る。これらのハードウェア構成要素がスリープモード中に動作不能モードに入れられ得るので、ワイヤレスネットワーク上で行われる通信は、スリープ状態にあるデバイスによって受信されないことがある。スケジューリングメッセージによって定義される非アクティビティ期間が過ぎた後、デバイスはスリープモードを出て、再びワイヤレスネットワーク上で動作し始め得る。このサイクルは繰り返し得、デバイスは、以下で説明するスケジューリングメッセージによってスケジュールされるワイヤレス通信アクティビティに基づいて、周期的に低電力モードに入り、低電力モードから戻る。いくつかの態様では、プロセス９００は、図７に関して上記で説明したフレーム７００を受信および復号し得る。
【００８６】
[0096]ブロック９０５において、デバイスによって、送信機会（ＴＸＯＰ）所有者からフレームを受信する。フレームは、送信機会（ＴＸＯＰ）自体中に、またはいくつかの態様では、送信機会が開始する前のある時間において受信され得る。いくつかの態様では、ブロック９０５において受信されたフレームは、上記で説明したスケジューリングメッセージ４０２、５０２、または６０２のいずれかであり得る。いくつかの態様では、ブロック９０５に関して説明する１つまたは複数の機能は、受信機３１２によって実行され得る。
【００８７】
[0097]ブロック９１０において、送信機会中の複数の重複しない時間間隔を識別するためにフレームを復号する。たとえば、図７Ａ〜図７Ｃに示されているように、受信されたフレームの一実装形態は、１つまたは複数のスケジュールブロック７１２を含む。各スケジュールブロック７１２は、送信機会内の時間間隔を識別する。いくつかの態様では、時間間隔は、各スケジュールブロック７１２内の時間基準フィールド７３２を少なくとも部分的に介して識別される。いくつかの態様では、ブロック９１０に関して上記で説明した機能のうちの１つまたは複数は、プロセッサ３０４によって実行され得る。
【００８８】
[0098]ブロック９１５において、デバイスが送信機会所有者デバイスとのマルチユーザ通信を実行することになる時間間隔のうちの少なくとも１つを識別するためにフレームを復号する。少なくとも１つの時間間隔を識別するために、１つまたは複数のデバイス識別子が、識別された時間間隔の各々についてフレームから復号され得る。たとえば、いくつかの態様では、各スケジュールブロックは、重複しない時間間隔と、スケジュールブロックによって識別される重複しない時間間隔中にアクセスポイントと通信すべきである１つまたは複数のデバイスとを識別するために復号され得る。
【００８９】
[0099]復号されたデバイス識別子は、関連付け識別子、メディアアクセス制御アドレス、デバイス能力、またはグループ識別子のうちの１つまたは複数であり得る。受信デバイスは、次いで、もしあれば、復号された識別子のうちのどれがデバイス自体を識別するかを決定し得る。デバイスが識別された場合、デバイスは、対応する時間間隔中に通信するようにスケジュールされる。デバイスは、次いで、決定に基づいて対応する時間間隔中に通信（ＴＸＯＰ所有者とデータを送信または受信）し得る。
【００９０】
[00100]たとえば、図７Ａ〜図７Ｃに示されているように、各スケジュールブロック７１２はデバイス情報フィールド７２８を含み得る。デバイス情報フィールド７２８はデバイスＩＤフィールド７４２を含み得る。いくつかの態様では、デバイス識別子フィールド７４２は、対応するスケジュールブロック７１２によって識別される時間間隔中にどのデバイスが通信することになるかを決定するために復号される。
【００９１】
[00101]いくつかの態様では、フレームは、識別された複数の重複しない時間間隔の各々中にＴＸＯＰ所有者デバイスとの通信を実行することになる１つまたは複数のデバイスを識別するためにさらに復号される。デバイスは、次いで、デバイス自体が、識別された時間間隔の各々中に通信を実行するようにスケジュールされるかどうかを決定し得る。この決定に基づいて、デバイスは、デバイスがスリープ状態に入り得る時間期間を決定し得る。たとえば、フレームが４つの時間間隔を識別し、デバイスが、第１の時間間隔中にｔｘｏｐ所有デバイスにデータを送信し、第４の時間間隔中にＴＸＯＰ所有デバイスからデータを受信するようにスケジュールされる場合、デバイスは、それが第２および第３の時間間隔中にスリープ状態に入ることができると決定し得る。
【００９２】
[00102]いくつかの態様では、フレームは、時間間隔中にデータ送信の方向を決定するためにさらに復号される。たとえば、フレームを復号することは、データが時間間隔中にＴＸＯＰ所有者に送信されることになるのか、時間間隔中にＴＸＯＰ所有者から受信されることになるのかを決定し得る。いくつかの態様では、ＴＸＯＰ所有者にデータを送信することはアップリンクと見なされるが、ＴＸＯＰ所有者からデータを受信することはダウンリンクと見なされる。デバイスは、次いで、特定の時間間隔中にデータ送信の決定された方向に基づいてＴＸＯＰ所有者との通信を実行し得る。データが時間間隔中にＴＸＯＰ所有者に送信されるべきであると決定された場合、フレームは、時間間隔中に送信された最大物理プロトコルデータユニット（ＰＰＤＵ）サイズを決定するためにさらに復号され得る。時間間隔中のＴＸＯＰ所有者への送信は、次いで、最大送信サイズの決定に応答して制限され得る。
【００９３】
[00103]いくつかの態様では、フレームは、デバイスが、識別された時間間隔のうちの１つ中にＴＸＯＰ所有者への送信をいつ開始すべきかを識別するために、さらに復号される。いくつかの態様では、時間間隔は、第１の発生する時間間隔であり得る。たとえば、デバイスが、第１の発生する時間間隔中にＴＸＯＰ所有者にデータを送信するようにスケジュールされる場合、フレームは、フレームが受信された直後に、またはフレームの受信が完了してから所定の時間期間（たとえば、ショートフレーム間スペース時間）が経過した後にデバイスが送信を開始するためのトリガとして機能し得る。いくつかの態様では、フレームは、送信が開始されるべきである、フレームの受信後の時間オフセットを決定するために復号され得る。
【００９４】
[00104]いくつかの態様では、フレームは、上記で説明した通信スケジューリング情報とは別個であるスリープ時間情報を識別するためにさらに復号される。たとえば、いくつかの態様では、フレームは、１つまたは複数のデバイスのための明示的スリープスケジュール情報を含み得る。いくつかの態様では、ブロック９１５に関して上記で説明した１つまたは複数の機能は、プロセッサ３０４によって実行され得る。
【００９５】
[00105]ブロック９２０において、少なくとも１つの識別された時間間隔中にＴＸＯＰ所有者とのマルチユーザ通信を実行する。いくつかの態様では、マルチユーザ通信は、たとえば、ＭＵ−ＭＩＭＯまたはＯＦＤＭを介した、複数の空間チャネルまたは周波数上の複数のメッセージへの複数のメッセージの同時送信を含む。いくつかの態様では、ブロック９０５において受信されたフレームは、ＴＸＯＰ中に行われるためのスケジュールされた通信の各々のための通信制御情報を決定するために、さらに復号される。たとえば、デバイスは、デバイスが通信のためにスケジュールされる各時間間隔中にデータの送信または受信のために使用されるべき空間チャネルおよび／または周波数を復号し得る。マルチユーザ通信は、次いで、フレームから復号された制御情報に基づいて実行され得る。
【００９６】
[00106]いくつかの態様では、時間間隔のうちの１つ中にＴＸＯＰ所有者によって送信され、デバイスによって受信されたデータメッセージは、スリープ時間情報を含み得る。データメッセージはＴＸＯＰ所有者からのマルチユーザ通信の一部であり得、たとえば、それは、デバイスによってＭＵ−ＭＩＭＯまたはＯＦＤＭを介して受信され得る。いくつかの態様では、データメッセージは、データメッセージが、ＴＸＯＰ所有者が現在の時間間隔または送信機会中にデバイスに送信することになる最後のデータメッセージであるかどうかを示すインジケータの値を決定するために復号される。いくつかの態様では、インジケータは、データメッセージのフレーム制御フィールド中のモアデータビットである。
【００９７】
[00107]デバイスが、データメッセージが、現在の時間間隔またはＴＸＯＰ中にＴＸＯＰ所有者からデバイスによって受信されるべき最後のデータメッセージであることをインジケータが示すと決定した場合、デバイスは、決定に応答して現在の時間間隔またはＴＸＯＰの残りの間スリープ状態に入り得る。
【００９８】
[00108]いくつかの態様では、プロセス９００は、送信機会所有者から第２のフレームを受信することをさらに含む。この第２のフレームは、受信デバイスが第２のフレームに対応する時間間隔中にＴＸＯＰ所有者にデータを送信するためのトリガとして機能する。対応は、第２のフレームのタイミングによって確立され得る。たとえば、第２のフレームは、時間間隔内に送信され得る。代替的に、トリガフレームは、対応する時間間隔を識別するために復号され得る。たとえば、各時間間隔は、ブロック９０５において受信された第１のフレーム中の識別子を介して識別され得る。受信された第２のフレームは、次いで、対応するフレームの識別子を含むことによって、対応する時間間隔を確立し得る。
【００９９】
[00109]いくつかの態様では、第２のフレームは、フレームの受信が完了した直後に、または受信から所定のオフセット（たとえば、ショートフレーム間スペース時間）後に受信デバイスが送信を開始すべきであることを示し得る。代替的に、第２のフレームは、送信が開始されるべき、現在の時間間隔内の時間オフセットを決定するために復号され得る。ＴＸＯＰ所有者デバイスへの送信が、次いで、第２のフレームの指示に基づいて開始され得る。
【０１００】
[00110]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０１】
[00111]本開示で説明した実装形態への様々な変更は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明したいかなる実装形態も、必ずしも他の実装形態よりも好ましいまたは有利であると解釈されるべきではない。
【０１０２】
[00112]また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１０３】
[00113]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【０１０４】
[00114]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０５】
[00115]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【０１０６】
[00116]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１０７】
[00117]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに与えるための任意の他の好適な技法が利用され得る。
【０１０８】
[00118]上記は本開示の態様を対象とするが、本開示の他の態様およびさらなる態様は、それの基本的範囲から逸脱することなく考案され得、それの範囲は以下の特許請求の範囲によって決定される。
【図１】
2017533657.tif 000003
【図２】
2017533657.tif 000004
【図３】
2017533657.tif 000005
【図４】
2017533657.tif 000006
【図５】
2017533657.tif 000007
【図６】
2017533657.tif 000008
【図７Ａ】
2017533657.tif 000009
【図７Ｂ】
2017533657.tif 000010
【図７Ｃ】
2017533657.tif 000011
【図８】
2017533657.tif 000012
【図９】
2017533657.tif 000013
【国際調査報告】
2017533657.tif 000014
2017533657.tif 000015